(57)【特許請求の範囲】
【請求項１】
１．矩形の木質基材の化粧板の木端又は木口のいずれか一方の２側面から表面に亙ってソフトフォーミングインレイ法により化粧シートを貼り、
２．同様にもう一方の２側面から表面に亙ってソフトフォーミングインレイ法により化粧シートを貼り、
３．続いて、木端又は木口のいずれか一方の側面で先に貼った方の２側面に平行に裁断して該２側面に貼られた化粧シートを除去し、
４．上記化粧シートを除去した２側面に、厚み方向にも連続柄模様が現れる縁材を貼り、
５．上記縁材の角部に面取りを施す。
上記５工程による化粧板の製造方法。
【請求項２】
請求項１に記載された方法により製造される化粧板。
【発明の詳細な説明】
【０００１】
【発明の属する技術分野】
本発明は、家具、住宅機器等に用いられる木質化粧板に関する発明である。
【０００２】
【従来の技術】
従来、家具、住宅機器等に用いられる扉、カウンター、テーブルトップ等の木質化粧板は、特に高価な天然銘木単板を貼った高級品を除いて、多くのものは、合板、繊維板等の基材の表面に、天然銘木や天然の大理石等の柄を印刷した化粧シートが貼ってあり、側面も同様の柄の化粧縁材が貼られている。
【０００３】
家具の収納部内部の棚板等の場合には、角部の美観や安全性に関する問題はそれほど問題にならないから、縁貼りは、板状の化粧板の木口面及び木端面を表面に垂直に裁断して、その面に単に平板状の薄い縁材を貼り、角部に面取りを施すだけで十分である。扉やテーブルトップ等の角部は、美観や安全性も重視されるから、角部の面取りを大きくして丸みを付与する必要がある。
【０００４】
表面に薄い化粧シートを貼った化粧板の場合、角部の面取りを大きくすると化粧板の下地である基材が現われ美観を損ねるから、厚い表面化粧シートを使用するか或いは厚い縁材を使用しなければならなくなり、コストが大幅に上昇する。
【０００５】
したがって、コストをあまり上昇させない方法として、通常は、図５のような方法が行われる。即ち、天然木材の柄又はモノカラーを印刷した化粧シートをソフトフォーミングインレイ法により側面から表面に亙って貼りつけ、角部を曲面にする方法が採られている。ソフトフォーミングインレイ法とは、化粧シートを熱により曲げながら、接着剤で化粧板の側面から表面に亙って、角部を直角に又は曲面を付与しながら表面と面一に貼りつける方法である。
【０００６】
この場合、貼り付ける化粧シートの厚みに相当する厚み分だけ、側面付近の基材の化粧板表面を切り欠く必要があるが、その切り欠き作業は、化粧シートを貼る作業と同時にできる機械がある。
【０００７】
また、▲１▼化粧板を所定の寸法に裁断し、▲２▼側面付近の化粧板表面を切り欠くとともに、▲３▼必要に応じて化粧板の角部に曲面加工を施し、▲４▼側面から表面に亙って化粧シートを貼る作業、これら一連の作業を連続的に行える機械も開発され、実用に供されている。
【０００８】
ソフトフォーミングインレイ法によれば、表面にごく薄い化粧シートが貼られた化粧板の場合においても、角部に大きな丸みを施すことができる。ソフトフォーミングインレイ法により４周の側面に化粧シートが貼られた化粧板は、表面も一定幅で側面と同じ化粧シートにより縁取られ、家具の扉に使用すれば框組の扉のように見え、またテーブルトップに使用すれば、４周に幅の広い縁材を貼ったように見える。
【０００９】
【発明が解決しようとする課題】
上記方法で側面を貼る場合、従来技術では、長手方向（木端面）又は短手方向の縁（木口面）を先に貼り、続いて他の一方（木口面）を貼るという２工程によって貼られる。この工程を詳しく説明すると、まず図２に示すように、化粧板の木端面から表面に亙って化粧シートＳを貼り、次に木口面から表面に亙って化粧シートＳの厚み分だけ切り欠く（図３）。続いて前記の切り欠いた木口面から表面にかけて化粧シートＳを貼る（図４）。そして最後に、角部が連続した曲面になるよう、Ｃ１，Ｃ２，Ｃ３面に面取りを施す（図５）。
【００１０】
しかしながら、上記方法では、隅角部において次のような問題を生じる。即ち、図５の面取りを施したＣ１，Ｃ２，Ｃ３面に化粧シートＳの断面が現出し、美観を損ねるという問題である。
【００１１】
図１〜図５は発明の全容を理解しやすいよう模式的に描いているため、基材の角部の曲面を省略する等、実用的な寸法や、詳細部分を省略しているが、図５におけるＣ１面付近の断面を、実用的な寸法に合わせて詳細に描けば図７に示すような断面構造になる。図７から明らかなように、面取り部に化粧シートの断面Ｄが現れている、断面Ｄは、面取りの曲率半径が大きくなればなるほど、また、化粧シートの厚みが厚くなればなるほどが顕著になる。面取り部全長に連続して化粧シートＳの断面が現れているのであれば、さほど見苦しくないが、図７のように局部的に現れているから外観を損ねるのである。
【００１２】
化粧シートの柄がモノカラーで、かつ内部まで同色のものである場合はさほど目立たないが、曲面部Ｃとの境界に接着剤の層が現れるばかりでなく、この部分の面取りは、通常サンダー等の機械又は手作業により行われるため、どうしても化粧シートの表面がそのまま現れている曲面部Ｃの部分と表面平滑性や艶等に差が生じ、程度の差はあるが目立つことには変わりないのである。
【００１３】
化粧シートの柄が木目柄の場合で、シート表面にのみ印刷が施されている場合は、Ｃ１面には化粧シートＳの基材の地色が現われ、さらに見苦しい。また、天然木の化粧単板のように厚み方向に削っても連続柄が現れる言わば金太郎飴のような構造の化粧シートを使用しても、図７において、曲面部Ｃと化粧シートの化粧シートの断面Ｄとの境界において木目の方向が交差するから、Ｄの部分がいかにも継ぎ剥ぎを施した感じを与え、やはり美観面で見苦しい。
【００１４】
【課題を解決するための手段】
本発明は、以下に述べる方法によりこの問題点を解決した。以下図面に基づいて説明する。
【００１５】
まず、矩形の化粧板の木端面又は木口面のいずれか一方の平行する２側面から表面に亙って、ソフトフォーミングインレイ法により化粧シートＳを貼る（図２）。同様にもう一方の平行する２側面から表面に亙って、ソフトフォーミングインレイ法により化粧シートＳを貼る（図４）。次に、図６のように先に貼った方の２側面（図６の場合は木端面）に平行に裁断し、該２側面に貼られた化粧シートを完全に除去する。続いて、上記裁断された２側面に、図１のように、厚みが厚くかつ厚み方向にも連続柄模様が現れる縁材Ｅを貼り、最後に該縁材Ｅの角部の面取りを行う。図８は、本発明による化粧板の断面を示す図で、従来技術の図７に相当する図である。
【００１６】
【発明の実施の形態】
本発明の実施において、木質化粧板の基材は、合板、ＬＶＬ、繊維板、パーティクルボード等、建築、家具、住宅機器に使用される木質の平板状基材ならば何でもよい。化粧シートＳ及び縁材Ｅを貼る前の化粧板は、基材の少なくとも一方の表面に化粧シートや天然銘木単板等の化粧を施したものであるが、もう一方の表面は基材のままでもよい。ソフトフォーミングインレイ法により貼られる化粧シートＳは、加熱することにより容易に曲げ変形できる材料である。例えば、軟質の薄い塩化ビニルであれば加熱しないでも容易に曲げ変形できるが、表面の硬度が低く傷つきやすい。硬質の塩化ビニルで厚いものであれば、曲げ変形に長時間を要し、作業能率が低い。しかも厚くなればそれだけコストが高くなる。
【００１７】
また、テーブルトップのように表面の耐熱性、耐汚染性当の性能が要求される場合は、メラミン化粧板のような硬質の材料が使用される。
【００１８】
従って、本発明に使用される化粧シートＳは、本発明の方法により製造される化粧板の用途によって必要とされる性能に基づいて選択すればよいので、シート厚みや柔軟性等の諸性能について特に限定する必要はない。ただし、本発明の目的は、コストの安い方法で角部に曲面を付与することにあるから、必要以上に厚い化粧シートを使用する必要はない。
【００１９】
次に、本発明に使用される縁材Ｅであるが、木端面又は木口面と表面との境界の曲面部分と、木端面と木口面との境界の面取り部に縁材Ｅの断面が現れるから、縁材Ｅは、金太郎飴のように表面から内部まで厚み方向に連続して同一の色柄が現れるものである必要がある。このような縁材として、合成樹脂製で木目柄又はモノカラーのものが市販されている。また、縁材Ｅの厚みは角部に施す曲面の曲率半径に相当する厚みのものが必要になる。それ以上厚いものを用いても経済的に無駄になるばかりでなく、過剰な厚みの分だけ表面化粧シートとの境界線が化粧板表面側に食い込むから、厚くとも曲率半径プラス０．５ｍｍまでが適当である。
【００２０】
このように、角部の丸みの曲率半径に応じた厚みの縁材が必要であるから、あまり曲率半径の大きな場合や、縁材を貼るべき側面の面積が化粧板表面の面積と比較して、通常よりも大きな場合はコストが高くなる場合がある。
【００２１】
一般に、長さが長い方の側面を木端と言い、短い方を木口と言う。本発明の説明図では、縁材を貼る方を木端面としたが、縁材を貼る方を短かくした方がコストが安いので、縁材を貼る方を木口面とするのが普通である。要は、デザイン上の問題やコストを勘案して、どちらの側面に縁材を貼るかを決定すればよい。なお、図では、化粧板下部又は裏面の角部の詳細は図示していないが、用途により裏面にも同様の化粧が必要な場合は、表面と同様に考えればよい。
【００２２】
【発明の効果】
ソフトフォーミングインレイ法により木端面と木口面の角部に曲面を付与した化粧板は、図３又は図７における木端又は木口の角部に局部的に化粧シートの断面が現出し、その部分において、該角部の他の部分と色調、艶が異なったり、柄が連続しないため、化粧板の美観を損ねる。本発明は、上記従来技術の欠点を改良したものである。
【図面の簡単な説明】
【図１】本発明による化粧板の斜視図
【図２】化粧板の斜視図
【図３】化粧板の斜視図
【図４】化粧板の斜視図
【図５】化粧板の斜視図
【図６】化粧板の斜視図
【図７】化粧板の断面図
【図８】本発明による化粧板の断面図
【符号の説明】
Ａ      木端面
Ｂ      木口面
Ｃ      曲面部
Ｃ１    面取り部
Ｃ２    面取り部
Ｃ３    面取り部
Ｄ      化粧シートの断面
Ｅ      縁材
Ｓ      化粧シート
【図１】
0003572812.tif 000002
【図２】
0003572812.tif 000003
【図３】
0003572812.tif 000004
【図４】
0003572812.tif 000005
【図５】
0003572812.tif 000006
【図６】
0003572812.tif 000007
【図７】
0003572812.tif 000008
【図８】
0003572812.tif 000009